(57)【要約】【課題】光学的に原稿の画像を読み取る画像読取装置と該画像読取装置に対する制御をコンピュータで実現するプログラムとに関し、目視した際に高いＳＮ比を維持しつつ読取時間を短縮することを目的とする。【解決手段】画像データ生成手段は、原稿に対して波長の異なる複数の光による露光を順次行って画像データを生成し、露光回数制御手段は、画像データ生成手段を制御し、原稿上の同一位置に対する複数の光による各々の露光回数を、複数の光の比視感度に応じて変え、データ処理手段は、露光回数制御手段の制御に基づき、画像データ生成手段によって生成された原稿上の同一位置に対する画像データを、同一波長の光による露光によって生成された画像データ毎に加算平均する。【選択図】　　　図２
2004040385.tif 000002
【特許請求の範囲】
【請求項１】
原稿に対して波長の異なる複数の光による露光を順次行って、画像データを生成する画像データ生成手段と、
前記画像データ生成手段を制御し、前記原稿上の同一位置に対する前記複数の光による各々の露光回数を、波長に応じて変える露光回数制御手段と、
前記露光回数制御手段の制御に基づき前記画像データ生成手段によって生成された前記原稿上の同一位置に対する画像データを、同一波長の光による露光によって生成された画像データ毎に加算平均するデータ処理手段と
を備えたことを特徴とする画像読取装置。
【請求項２】
原稿に対して波長の異なる複数の光による露光を順次行って、画像データを生成する画像データ生成手段と、
前記画像データ生成手段を制御し、前記原稿上の同一位置に対する前記複数の光による各々の露光回数を、該複数の光の比視感度に応じて変える露光回数制御手段と、
前記露光回数制御手段の制御に基づき前記画像データ生成手段によって生成された前記原稿上の同一位置に対する画像データを、同一波長の光による露光によって生成された画像データ毎に加算平均するデータ処理手段と
を備えたことを特徴とする画像読取装置。
【請求項３】
原稿の画像の読み取りに係わる可視光による露光と、該原稿に存在する欠陥の位置を示す画像の生成に係わる赤外光による露光とを順次行って、画像データを生成する画像データ生成手段と、
前記画像データ生成手段を制御し、前記原稿上の同一位置に対する前記赤外光による露光回数を、前記可視光による露光回数以下にする露光回数制御手段と、
前記露光回数制御手段の制御に基づき前記画像データ生成手段によって生成された前記原稿上の同一位置に対する画像データを、同一波長の光による露光によって生成された画像データ毎に加算平均するデータ処理手段と
を備えたことを特徴とする画像読取装置。
【請求項４】
原稿に対して波長の異なる複数の光による露光を順次行って、画像データを生成する画像データ生成手段と、
前記画像データ生成手段を制御し、前記原稿上の同一位置に対する前記複数の光による各々の露光回数を、ユーザ操作に応じて変える露光回数制御手段と、
前記露光回数制御手段の制御に基づき前記画像データ生成手段によって生成された前記原稿上の同一位置に対する画像データを、同一波長の光による露光によって生成された画像データ毎に加算平均するデータ処理手段と
を備えたことを特徴とする画像読取装置。
【請求項５】
請求項２に記載の画像読取装置において、
前記露光回数制御手段は、
前記画像データ生成手段に対する制御として、前記露光回数を前記比視感度に応じて変える制御と、該露光回数を一律の回数にする制御とを切り換えて行う
ことを特徴とする画像読取装置。
【請求項６】
請求項３に記載の画像読取装置において、
前記露光回数制御手段は、
前記画像データ生成手段に対する制御として、前記赤外光による露光回数を前記可視光による露光回数以下にする制御と、該赤外光による露光回数を該可視光による露光回数と同じにする制御とを切り換えて行う
ことを特徴とする画像読取装置。
【請求項７】
請求項４に記載の画像読取装置において、
前記露光回数制御手段は、
前記画像データ生成手段に対する制御として、前記露光回数をユーザ操作に応じて変える制御と、該露光回数を一律の回数にする制御とを切り換えて行う
ことを特徴とする画像読取装置。
【請求項８】
原稿に対して波長の異なる複数の光による露光を順次行って、画像データを生成する画像データ生成手段を備えた画像読取装置に対する制御をコンピュータで実現するプログラムであって、
前記画像データ生成手段を制御し、前記原稿上の同一位置に対する前記複数の光による各々の露光回数を、波長に応じて変える露光回数制御手順と、
前記露光回数制御手順の制御に基づき前記画像データ生成手段によって生成された前記原稿上の同一位置に対する画像データを、同一波長の光による露光によって生成された画像データ毎に加算平均するデータ処理手順と
を備えたことを特徴とするプログラム。
【請求項９】
原稿に対して波長の異なる複数の光による露光を順次行って、画像データを生成する画像データ生成手段を備えた画像読取装置に対する制御をコンピュータで実現するプログラムであって、
前記画像データ生成手段を制御し、前記原稿上の同一位置に対する前記複数の光による各々の露光回数を、該複数の光の比視感度に応じて変える露光回数制御手順と、
前記露光回数制御手順の制御に基づき前記画像データ生成手段によって生成された前記原稿上の同一位置に対する画像データを、同一波長の光による露光によって生成された画像データ毎に加算平均するデータ処理手順と
を備えたことを特徴とするプログラム。
【請求項１０】
原稿の画像の読み取りに係わる可視光による露光と、該原稿に存在する欠陥の位置を示す画像の生成に係わる赤外光による露光とを順次行って、画像データを生成する画像データ生成手段を備えた画像読取装置に対する制御をコンピュータで実現するプログラムであって、
前記画像データ生成手段を制御し、前記原稿上の同一位置に対する前記赤外光による露光回数を、前記可視光による露光回数以下にする露光回数制御手順と、
前記露光回数制御手順の制御に基づき前記画像データ生成手段によって生成された前記原稿上の同一位置に対する画像データを、同一波長の光による露光によって生成された画像データ毎に加算平均するデータ処理手順と
を備えたことを特徴とするプログラム。
【請求項１１】
原稿に対して波長の異なる複数の光による露光を順次行って、画像データを生成する画像データ生成手段を備えた画像読取装置に対する制御をコンピュータで実現するプログラムであって、
前記画像データ生成手段を制御し、前記原稿上の同一位置に対する前記複数の光による各々の露光回数を、ユーザ操作に応じて変える露光回数制御手順と、
前記露光回数制御手順の制御に基づき前記画像データ生成手段によって生成された前記原稿上の同一位置に対する画像データを、同一波長の光による露光によって生成された画像データ毎に加算平均するデータ処理手順と
を備えたことを特徴とするプログラム。
【発明の詳細な説明】
【０００１】
【発明の属する技術分野】
本発明は、原稿の画像を光学的に読み取る画像読取装置と、該画像読取装置に対する制御をコンピュータで実現するプログラムとに関する。
【０００２】
【従来の技術】
従来から、フィルム原稿の画像を読み取るフィルムスキャナでは、ＳＮ比を向上させるため、マルチサンプルスキャンが行われている。
マルチサンプルスキャンとは、フィルムスキャナ内のラインセンサにおいて過飽和を起こさない最長の露光時間（以下、「飽和露光時間」と称する）以下で、露光を繰り返し行い、その結果として得られた画像データを加算平均する読取方法である。
【０００３】
このようなマルチサンプルスキャンによれば、画像データのランダムノイズ量を露光回数の平方根分の１に減衰させることができる。例えば、露光回数が１６回に設定されたマルチサンプルスキャンを行うと、ランダムノイズ量を４分の１にすることができ、ＳＮ比が向上されることになる。
【０００４】
【発明が解決しようとする課題】
しかし、マルチサンプルスキャンは、ＳＮ比を向上させる一方で、露光回数の増加によって読取時間を長引かせてしまうという欠点がある。
【０００５】
特に、フィルムスキャナによるカラー画像の読み取りに際してマルチサンプルスキャンを適用する場合には、フィルム原稿上の同一の副走査位置に対し、Ｒ（赤），Ｇ（緑），Ｂ（青）の３色の光による露光が複数回ずつ行われることになり、読取時間が長くなっていた。
【０００６】
また、マルチサンプルスキャンは、カラー画像の暗部におけるランダムノイズの減衰に有効であり、赤外画像のようにフィルム原稿の画像の明暗に無関係な画像では効果が現れ難い。しかし、フィルム原稿に存在するゴミや傷や指紋等の欠陥の位置を赤外画像を用いて検出するフィルムスキャナでは、赤外光による露光についても、Ｒ，Ｇ，Ｂの３色の光と同数回行われていた。また、ラインセンサにおける赤外光の感度は、Ｒ，Ｇ，Ｂの３色の光よりも低いので、赤外光による１回の露光時間は、Ｒ，Ｇ，Ｂの３色の光よりも長くする必要がある。そのため、このようなフィルムスキャナでは、長い露光時間で赤外光による露光が繰り返し行われることになり、読取時間が不要に長くなっていた。
【０００７】
そこで、本発明は、高い観察上のＳＮ比を維持しつつ、読取時間を短縮することができる画像読取装置を提供することを目的とする。また、本発明は、高いＳＮ比を維持しつつ、読取時間を短縮することができるように、画像読取装置に対する制御をコンピュータで実現させるプログラムを提供することを他の目的とする。
【０００８】
【課題を解決するための手段】
請求項１に記載の画像読取装置は、原稿に対して波長の異なる複数の光による露光を順次行って、画像データを生成する画像データ生成手段と、前記画像データ生成手段を制御し、前記原稿上の同一位置に対する前記複数の光による各々の露光回数を、波長に応じて変える露光回数制御手段と、前記露光回数制御手段の制御に基づき前記画像データ生成手段によって生成された前記原稿上の同一位置に対する画像データを、同一波長の光による露光によって生成された画像データ毎に加算平均するデータ処理手段とを備えたことを特徴とする。
【０００９】
請求項２に記載の画像読取装置は、原稿に対して波長の異なる複数の光による露光を順次行って、画像データを生成する画像データ生成手段と、前記画像データ生成手段を制御し、前記原稿上の同一位置に対する前記複数の光による各々の露光回数を、該複数の光の比視感度に応じて変える露光回数制御手段と、前記露光回数制御手段の制御に基づき前記画像データ生成手段によって生成された前記原稿上の同一位置に対する画像データを、同一波長の光による露光によって生成された画像データ毎に加算平均するデータ処理手段とを備えたことを特徴とする。
【００１０】
請求項３に記載の画像読取装置は、原稿の画像の読み取りに係わる可視光による露光と、該原稿に存在する欠陥の位置を示す画像の生成に係わる赤外光による露光とを順次行って、画像データを生成する画像データ生成手段と、前記画像データ生成手段を制御し、前記原稿上の同一位置に対する前記赤外光による露光回数を、前記可視光による露光回数以下にする露光回数制御手段と、前記露光回数制御手段の制御に基づき前記画像データ生成手段によって生成された前記原稿上の同一位置に対する画像データを、同一波長の光による露光によって生成された画像データ毎に加算平均するデータ処理手段とを備えたことを特徴とする。
【００１１】
請求項４に記載の画像読取装置は、原稿に対して波長の異なる複数の光による露光を順次行って、画像データを生成する画像データ生成手段と、前記画像データ生成手段を制御し、前記原稿上の同一位置に対する前記複数の光による各々の露光回数を、ユーザ操作に応じて変える露光回数制御手段と、前記露光回数制御手段の制御に基づき前記画像データ生成手段によって生成された前記原稿上の同一位置に対する画像データを、同一波長の光による露光によって生成された画像データ毎に加算平均するデータ処理手段とを備えたことを特徴とする。
【００１２】
請求項５に記載の画像読取装置は、請求項２に記載の画像読取装置において、前記露光回数制御手段は、前記画像データ生成手段に対する制御として、前記露光回数を前記比視感度に応じて変える制御と、該露光回数を一律の回数にする制御とを切り換えて行うことを特徴とする。
請求項６に記載の画像読取装置は、請求項３に記載の画像読取装置において、前記露光回数制御手段は、前記画像データ生成手段に対する制御として、前記赤外光による露光回数を前記可視光による露光回数以下にする制御と、該赤外光による露光回数を該可視光による露光回数と同じにする制御とを切り換えて行うことを特徴とする。
【００１３】
請求項７に記載の画像読取装置は、請求項４に記載の画像読取装置において、前記露光回数制御手段は、前記画像データ生成手段に対する制御として、前記露光回数をユーザ操作に応じて変える制御と、該露光回数を一律の回数にする制御とを切り換えて行うことを特徴とする。
請求項８に記載のプログラムは、原稿に対して波長の異なる複数の光による露光を順次行って、画像データを生成する画像データ生成手段を備えた画像読取装置に対する制御をコンピュータで実現するプログラムであって、前記画像データ生成手段を制御し、前記原稿上の同一位置に対する前記複数の光による各々の露光回数を、波長に応じて変える露光回数制御手順と、前記露光回数制御手順の制御に基づき前記画像データ生成手段によって生成された前記原稿上の同一位置に対する画像データを、同一波長の光による露光によって生成された画像データ毎に加算平均するデータ処理手順とを備えたことを特徴とする。
【００１４】
請求項９に記載のプログラムは、原稿に対して波長の異なる複数の光による露光を順次行って、画像データを生成する画像データ生成手段を備えた画像読取装置に対する制御をコンピュータで実現するプログラムであって、前記画像データ生成手段を制御し、前記原稿上の同一位置に対する前記複数の光による各々の露光回数を、該複数の光の比視感度に応じて変える露光回数制御手順と、前記露光回数制御手順の制御に基づき前記画像データ生成手段によって生成された前記原稿上の同一位置に対する画像データを、同一波長の光による露光によって生成された画像データ毎に加算平均するデータ処理手順とを備えたことを特徴とする。
【００１５】
請求項１０に記載のプログラムは、原稿の画像の読み取りに係わる可視光による露光と、該原稿に存在する欠陥の位置を示す画像の生成に係わる赤外光による露光とを順次行って、画像データを生成する画像データ生成手段を備えた画像読取装置に対する制御をコンピュータで実現するプログラムであって、前記画像データ生成手段を制御し、前記原稿上の同一位置に対する前記赤外光による露光回数を、前記可視光による露光回数以下にする露光回数制御手順と、前記露光回数制御手順の制御に基づき前記画像データ生成手段によって生成された前記原稿上の同一位置に対する画像データを、同一波長の光による露光によって生成された画像データ毎に加算平均するデータ処理手順とを備えたことを特徴とする。
【００１６】
請求項１１に記載のプログラムは、原稿に対して波長の異なる複数の光による露光を順次行って、画像データを生成する画像データ生成手段を備えた画像読取装置に対する制御をコンピュータで実現するプログラムであって、前記画像データ生成手段を制御し、前記原稿上の同一位置に対する前記複数の光による各々の露光回数を、ユーザ操作に応じて変える露光回数制御手順と、前記露光回数制御手順の制御に基づき前記画像データ生成手段によって生成された前記原稿上の同一位置に対する画像データを、同一波長の光による露光によって生成された画像データ毎に加算平均するデータ処理手順とを備えたことを特徴とする。
【００１７】
【発明の実施の形態】
以下、図面に基づいて、本発明の実施形態について詳細を説明する。
ただし、以下では、本発明の画像読取装置の一例として、フィルムスキャナやホストコンピュータなどから成る画像読取装置を用いて説明を行う。また、フィルムスキャナおよびホストコンピュータ内には、本発明のプログラムが実行可能な状態に予め記録されている。
【００１８】
図１は、画像読取装置の構成図である。
図１において、画像読取装置１は、フィルムスキャナ１０、ホストコンピュータ３０、モニタ５０を備えている他、キーボードやマウスなどの操作部７０を備えており、モニタ５０と操作部７０とはホストコンピュータ３０に接続されている。
【００１９】
フィルムスキャナ１０は、ＣＰＵ１１、照明制御部１２、Ａ／Ｄ変換部１３、センサ制御部１４、光学ブロックモータ制御部１５、インタフェース部１６、画像処理部１７を備えており、これらは、バスを介して相互に接続されている。特に、インタフェース部１６は、ホストコンピュータ３０にも接続されている。
また、フィルムスキャナ１０は、光学ブロックモータ制御部１５からの制御信号が入力される光学ブロックモータ１８、光学ブロックモータ１８に接続される光学ブロック１９、フィルム原稿２０の搬送路（図示省略）等を備えている。
【００２０】
光学ブロック１８は、照明制御部１２からの制御信号が入力される照明装置２１、レンズ２２、センサ制御部１４からの制御信号が入力されるラインセンサ２３等を備えており、ラインセンサ２３の出力は、Ａ／Ｄ変換部１３に接続される。
このような構成の画像読取装置１において、ＣＰＵ１１は、フィルムスキャナ１０内の各部を制御する。
【００２１】
照明装置２１は、ＣＰＵ１１の指示下で動作する照明制御部１２の制御を受け、照明光を点灯する。本実施形態において、照明装置２１では、Ｒ，Ｇ，Ｂの３色の光と、赤外光とが順次点灯される。特に、ユーザからマルチサンプルスキャンの実行が要求されている場合、各々の照明光は、ＣＰＵ１１によって指示される回数（後述する露光回数に相当する）だけ所定時間（飽和露光時間に相当する時間）ずつ点灯される。
【００２２】
照明装置２１からの照明光は、フィルム原稿２０の１ライン幅の領域に導かれる。レンズ２２は、フィルム原稿２０の透過光をラインセンサ２３に導いて結像させる。
光学ブロックモータ１８は、ＣＰＵ１１の指示下で動作する光学ブロックモータ制御部１５の制御を受け、フィルム原稿２０上の同一の副走査位置に対して全ての照明光による照明が完了する毎に、光学ブロック１９を副走査方向へ所定量だけ移動させる。
【００２３】
ラインセンサ２３は、ＣＰＵ１１の指示下で動作するセンサ制御部１４の制御を受け、一列に配された複数の画素の受光部で光電変換を行って、レンズ２２によって導かれた透過光に応じた信号電荷を生成し、その信号電荷を走査して画像信号を生成する。
Ａ／Ｄ変換部１３は、ラインセンサ２３から出力される画像信号をＡ／Ｄ変換し、画像データとして、バスを介し画像処理部１７に供給する。
【００２４】
画像処理部１７は、このようにして供給される画像データに対し、ＣＰＵ１１からの指示に応じて所定の画像処理（例えば、空間処理や解像変換処理等）を施す。
インタフェース部１６は、画像処理部１７によって画像処理が施された画像データを、ＣＰＵ１１からの指示に応じてホストコンピュータ３０に供給する。
【００２５】
ホストコンピュータ３０は、インタフェース部１６を介して供給された画像データに対して種々の処理を行って１フレーム分の画像を生成する。また、ホストコンピュータ３０は、このようして生成した画像や、種々の操作画面をモニタ５０に表示したり、インタフェース部１６を介して、ＣＰＵ１１へ種々の情報や指示を通知する。
【００２６】
図２は、本実施形態における画像読取装置１の動作フローチャートであり、特に、本発明の特徴であるマルチサンプルスキャンの実行に係わる動作を示している。
以下、図２を参照して本実施形態の画像読取装置１の動作を説明するが、以下では、本発明の特徴であるマルチサンプルスキャンの実行に係わる動作のみを説明し、他の動作については説明を省略する。
【００２７】
まず、操作部７０を介してユーザからマルチサンプルスキャンの実行が要求されると、ホストコンピュータ３０は、マルチサンプルスキャンの設定に係わる操作画面をモニタ５０に表示する（図２Ｓ１）。
【００２８】
このような操作画面では、マルチサンプルスキャン時の露光回数の設定に係わるモードの選択や、選択されたモードにおけるユーザ操作などが実現される。
本実施形態では、露光回数の設定に係わるモードとして、以下に示すような第１〜第３のモードが用意されている。
第１のモードは、各々の照明光における露光回数が独立に決定されるモードであり、ユーザによって１つの照明光による露光回数が設定されると他の照明光による露光回数がＣＰＵ１１によって決定される（詳細は後述する）。ただし、本実施形態では、説明を簡単にするため、Ｇの照明光による露光回数が、前述した操作画面を介してユーザによって設定される。例えば、このような設定は、予め決められた複数の露光回数（２回、４回、８回、１６回など）から所望の回数を選択する操作などによって実現される。
【００２９】
第２のモードは、各々の照明光による露光回数が独立に決定されるモードであり、露光回数は、前述した操作画面を介してユーザによって設定された回数に決定される。
第３のモードは、既存のフィルムスキャナのマルチサンプルスキャンと同様に、全ての照明光による露光回数を一律の回数に決定するモードであり、露光回数は、前述した操作画面を介してユーザによって設定された回数に決定される。
【００３０】
以上説明したような３つのモードから何れか１つのモードがユーザによって選択され、そのモードに応じた所定のユーザ操作が行われると、ホストコンピュータ３０は、選択されたモードを判定する（図２Ｓ２）。
そして、第１のモードが選択されている場合、ホストコンピュータ３０は、ユーザによって選択されたＧの照明光による露光回数を、インタフェース部１６を介してＣＰＵ１１に通知する。ＣＰＵ１１は、このようなＧの照明光による露光回数を基準に、ＲおよびＢの照明光による露光回数を比視感度に応じて決定する（図２Ｓ３）。
【００３１】
ここで、ＲおよびＢの照明光による露光回数の具体的な決定の仕方を説明する。
図３は、比視感度を表す図である。図３に示すように、Ｒ，Ｇ，Ｂの比視感度を一般に、「Ｒ：Ｇ：Ｂ＝０．５：１：０．３」とみなす。
図４は、同程度のランダムノイズが混入された各色の画像における実際のランダムノイズの頻度を示す図である。図４では、（ａ），（ｂ），（ｃ）のようにＲ，Ｇ，Ｂの各色の画像に同程度のランダムノイズが混入されている状態であっても、各色の画像データでは、（Ａ），（Ｂ），（Ｃ）のように、ランダムノイズのざらつき感に差が生じることを示している。
【００３２】
言い換えれば、Ｒの画像データのランダムノイズ量が、Ｇの画像データのランダムノイズ量の１／０．５倍（＝２倍）である状態において、人間は、これらの画像データのランダムノイズ量が同程度であると感じることになる。また、同様に、Ｂの画像データのランダムノイズ量が、Ｇの画像データのランダムノイズ量の１／０．３倍（≒３倍）である状態において、人間は、これらの画像データのランダムノイズ量が同程度であると感じることになる。
【００３３】
したがって、ＲおよびＢの照明光による露光回数は、マルチサンプルスキャン後のＲ，Ｇ，Ｂの画像データにおけるランダムノイズが同程度となる状態まで減らすことが可能である。
例えば、Ｒ，Ｇ，Ｂの照明光による露光回数をＮＲ，ＮＧ，ＮＢと表す場合、ＮＲは、Ｒの画像データのランダムノイズ量が、（１／ＮＧ１／２・１／０．５）となるように決定すれば良く、ＮＢは、Ｂの画像データのランダムノイズ量が、（１／ＮＧ１／２・１／０．３）となるように決定すれば良い。すなわち、Ｒの照明光による露光回数ＮＲは、以下の式１によって算出でき、Ｂの照明光による露光回数ＮＢは、以下の式２によって算出できる。
【００３４】
ＮＲ＝０．５２・ＮＧ　・・・式１
ＮＢ＝０．３２・ＮＧ　・・・式２
ただし、式２において、小数点以下の値は繰り上げる必要がある。また、式１および式２は、Ｇの照明光による露光回数に比視感度の二乗の値を掛けて得られる値（ただし、小数点以下の値は繰り上げる。）を、ＲおよびＢの照明光による露光回数とすれば良いことを示している。
【００３５】
なお、ＣＰＵ１１は、ユーザによってＧの照明光による露光回数が選択される度に、式１および式２によってＲおよびＢの照明光による露光回数を算出しても良い。また、ユーザによって選択され得るＧの照明光による全ての露光回数に対応付け、ＲおよびＢの照明光による露光回数を予め算出し、その結果を内部のテーブルに格納しておき、ＲおよびＢの照明光による露光回数の決定の際は、そのテーブルを参照するようにしても良い。
【００３６】
ＣＰＵ１１は、以上説明したようにしてＲおよびＢの照明光による露光回数を決定すると、赤外光による露光回数を決定する（図２Ｓ４）。
なお、赤外光による露光回数は、Ｂの照明光による露光回数（Ｒ，Ｇ，Ｂの照明光による露光回数のうち最も少ない露光回数に相当する）以下であれば如何なる回数であっても良いが、基本的には１回とし、特に、ノイズ量が大きくてフィルム原稿２０上のゴミや傷や指紋等の欠陥の検出が困難である場合には２回や３回など適宜増やすことが望ましい。
【００３７】
一方、第２のモードが選択されている場合、ＣＰＵ１１は、ユーザによる設定に応じて、各々の照明光による露光回数を独立に決定する（図２Ｓ５）。
さらに、第３のモードが選択されている場合、ＣＰＵ１１は、ユーザによる設定に応じて、全ての照明光による露光回数を一律に決定する（図２Ｓ６）。
以上説明したようにして各々の照明光の露光回数が決定された状態で、マルチサンプルスキャンの開始がユーザから要求されると、ホストコンピュータ３０は、その旨をインタフェース部１６を介してＣＰＵ１１に通知する。ＣＰＵ１１は、フィルムスキャナ１０内の各部を制御し、フィルム原稿２０上の読み取り対象となる副走査位置毎に、照明光の種類別に露光回数分の画像データを生成する（図２Ｓ７）。
【００３８】
このようにして生成された画像データは、インタフェース部１６を介してホストコンピュータ３０に供給される。ホストコンピュータ３０は、同一の副走査位置に対する画像データを、照明光の種類別に加算平均して、１フレーム分の画像を生成する（図２Ｓ８）。
以上説明したように、本実施形態では、第１のモードが選択された場合、Ｇの照明光による露光回数を基準に、ＲおよびＢの照明光による露光回数を比視感度に応じて決定することによって、ＲおよびＢの照明光による露光回数を、マルチサンプルスキャン後のＲ，Ｇ，Ｂの画像データにおけるランダムノイズ感が同程度となる状態まで減らすことができる。また、赤外光による露光回数は、Ｂの照明光による露光回数以下にすることによって、最小限に抑えることができる。
【００３９】
したがって、このようにして決定された露光回数によるマルチサンプルスキャンによれば、ＳＮ比については、従来のマルチサンプルスキャン（全ての照明光による露光回数がＧの照明光と同じ露光回数に設定されるマルチサンプルスキャン）と同程度に向上することができ、読取時間については、従来のマルチサンプルスキャンと比べて大幅に短縮することができる。
【００４０】
例えば、従来のマルチサンプルスキャンにおいて、各々の照明光の露光回数として１６が設定された場合、Ｒ，Ｇ，Ｂの照明光による飽和露光時間をＴとし、赤外光による飽和露光時間を２Ｔとすると、１ライン当たりの読取時間は、以下のようになる。
５Ｔ×１６＝８０Ｔ
一方、本実施形態において、第１のモードが選択され、Ｇの照明光による露光回数ＮＧとして１６が設定された場合、式１および式２により、Ｒの照明光による露光回数ＮＲは４となり、Ｂの照明光による露光回数ＮＢは２となる。このような場合、赤外光による露光回数を１とし、Ｒ，Ｇ，Ｂの照明光による飽和露光時間をＴとし、赤外光による飽和露光時間を２Ｔとすると、１ライン当たりの読取時間は、以下のようになる。
【００４１】
Ｔ×４＋Ｔ×１６＋Ｔ×２＋２Ｔ×１＝２４Ｔ
したがって、以上説明した例によれば、本実施形態の第１のモードが選択された場合の読取時間は、従来のマルチサンプルスキャンと比べて約１／３に短縮されることが分かる。
また、本実施形態では、第２のモードが選択された場合、各々の照明光による露光回数は、ユーザによる設定に応じて独立に決定される。そのため、例えば、特定の照明光による露光回数のみを標準よりも大きい回数に設定し、他の照明光による露光回数を最小限に抑える（場合によっては、０回にする）ことにより、特定の色の画像のみを高いＳＮ比で短時間に読み取ることが可能となる。なお、このような読み取りは、印刷目的の版分解時などに有効である。一方、従来のマルチサンプルスキャンでは、特定の色の画像のみのＳＮ比を向上させる場合であっても、全ての照明光による露光回数を増やす必要があり、読取時間が長くかかってしまうことになる。
【００４２】
すなわち、第２のモードが選択された場合の読取時間は、特定の用途において、従来のマルチサンプルスキャンよりも大幅に短縮することが可能である。
また、本実施形態では、前述したような第１のモードおよび第２のモードと、従来のマルチサンプルスキャンと同様に露光回数が決定される第３のモードとが切り換えられるため、用途に応じた様々な読み取りが可能である。
【００４３】
なお、本実施形態では、第１のモードにおいて、Ｇの照明光による露光回数を基準にＲおよびＢの照明光による露光回数が決定されているが、基準となる露光回数は、Ｒ，Ｇ，Ｂの照明光による露光回数のうち、何れの露光回数であっても良い。
また、本実施形態では、照明光としてＲ，Ｇ，Ｂの光と赤外光とが点灯される例を示したが、比視感度に応じた露光回数の決定は、如何なる波長の光に対しても実現することが可能であり、Ｒ，Ｇ，Ｂと赤外光との各々に対して、波長の異なる２種類ずつの光を点灯する場合、各々の光による露光回数を、比視感度に応じて変えても良い。
【００４４】
さらに、本実施形態では、ＣＰＵ１１によって照明光による露光回数が決定されているが、露光回数の決定は、ホストコンピュータ３０で行っても良い。
また、本実施形態では、照明装置２１でＲ，Ｇ，Ｂの３色の光を点灯することによって３色の光による露光が行われているが、３色の光による露光は、ラインセンサ２３に切り換え可能なＲ，Ｇ，Ｂの３色のカラーフィルタを設け、照明装置２１で白色光を点灯することによって実現しても良い。また、照明が切り換え式でなく、白色光源であり、カラーＣＣＤを使用した場合でも同様である。
【００４５】
さらに、本実施形態では、光学ブロック２１を副走査方向へ移動させることによってフィルム原稿２２上の読み取り対象の位置が変えられているが、フィルム原稿２２上の読み取り対象の位置の変更は、フィルム原稿２２を移動させることによって実現しても良い。
【００４６】
【発明の効果】
以上説明したように、本発明によれば、観察上で高いＳＮ比を維持しつつ、読取時間を短縮することが可能となる。
【図面の簡単な説明】
【図１】画像読取装置の構成図である。
【図２】画像読取装置の動作フローチャートである。
【図３】比視感度を表す図である。
【図４】同程度のランダムノイズが混入された各色の画像における実際のランダムノイズの頻度を示す図である。
【符号の説明】
１　画像読取装置１
１０　フィルムスキャナ１０
１１　ＣＰＵ
１２　照明制御部
１３　Ａ／Ｄ変換部
１４　センサ制御部
１５　光学ブロックモータ制御部
１６　インタフェース部
１７　画像処理部
１８　光学ブロックモータ
１９　光学ブロック
２０　フィルム原稿
２１　照明装置
２２　レンズ
２３　ラインセンサ
３０　ホストコンピュータ
５０　モニタ
７０　操作部
【図１】
2004040385.tif 000003
【図２】
2004040385.tif 000004
【図３】
2004040385.tif 000005
【図４】
2004040385.tif 000006